(57)【要約】【課題】イメージソースデバイス１０から受信するビデオ信号に対し、ユーザ選択領域のビデオパラメータを調整できるディスプレイシステムを提供する。【解決手段】ディスプレイされるコンプリートイメージのうちユーザ選択領域のビデオパラメータを調整するディスプレイシステムにおいて、ラインパターンを検出するレベル検出器２０１；レベル検出器に連結されたパターンを受信するパターン受信器２０４；パターン受信器２０４に連結され、コンプリートイメージの開始ピクセルの基準点から位置インディケータの未端までの第１水平座標値を測定するピクセルカウンタ２０２；第１水平座標値に基づいて基準点からビデオ制御領域の垂直面の端までの第２水平座標値を計算するパターン分析器２０４；ビデオ制御領域のビデオパラメータのうち少なくとも一つを調整するビデオ前置増幅器２０７を含むことを特徴とする。【選択図】      図１
2004240373.tif 000002
【特許請求の範囲】
【請求項１】
ディスプレイされるコンプリートイメージのうちユーザ選択領域のビデオパラメータを調整するディスプレイシステムにおいて、
コンプリートイメージを表す複数のイメージラインのうち何れかに含まれるラインパターンを検出するレベル検出器；
前記レベル検出器に連結され、その端部がユーザ選択領域の垂直面の端に対して垂直に整列された位置インディケータを含む前記パターンを受信するパターン受信器；
前記パターン受信器に連結され、前記コンプリートイメージの最上部にあるイメージラインの１番目の開始ピクセルの基準点から前記位置インディケータの端部までの第１水平座標値を測定するピクセルカウンタ；
前記第１水平座標値に基づいて前記基準点からビデオ制御領域の垂直面の端までの第２水平座標値を計算するパターン分析器；
前記ビデオ制御領域のビデオパラメータのうち少なくとも一つを調整するビデオ前置増幅器を含むことを特徴とするディスプレイシステム。
【請求項２】
前記ビデオパラメータは、輝度、コントラスト、強調（ｅｍｐｈａｓｉｓ）、シャープネス（ｓｈａｒｐｎｅｓｓ）パラメータのうち何れかであることを特徴とする請求項１記載のディスプレイシステム。
【請求項３】
前記第２水平座標値は前記第１水平座標値と同一であることを特徴とする請求項１に記載のディスプレイシステム。
【請求項４】
前記ビデオ前置増幅器は、前記受信したパターンに含まれた所定のビデオパラメータ値に基づいて前記ビデオパラメータのうち少なくとも一つを調整することを特徴とする請求項１に記載のディスプレイシステム。
【請求項５】
前記パターン分析器は、前記受信したパターンに含まれたチェックサム（ｃｈｅｃｋｓｕｍ）をチェックすることで前記パターンを認証することを特徴とする請求項１に記載のディスプレイシステム。
【請求項６】
前記パターン分析器は、前記パターンが認証された場合にのみ前記第２水平座標値を計算することを特徴とする請求項５に記載のディスプレイシステム。
【請求項７】
前記第１水平座標値は、前記パターンが含まれたイメージラインの２番目の開始点と、前記インディケータの端部との間にそれぞれ位置するピクセルをカウントすることで測定され、前記１番目と２番目の開始点は垂直に整列されることを特徴とする請求項１に記載のディスプレイシステム。
【請求項８】
前記パターンは、前記パターンが含まれたラインから前記ユーザ選択領域の上下面までの第１垂直座標値を含むことを特徴とする請求項１に記載のディスプレイシステム。
【請求項９】
前記基準点と、前記パターンが含まれたラインとの間の垂直なオフセット距離を測定するために、前記パターン受信器に連結されるラインカウンタを更に含むことを特徴とする請求項８に記載のディスプレイシステム。
【請求項１０】
前記パターン分析器は、前記オフセット距離を前記第１垂直座標値にそれぞれ加えることで、前記基準点から前記制御領域の水平面の端までの第２垂直座標値を更に計算することを特徴とする請求項９に記載のディスプレイシステム。
【請求項１１】
ディスプレイされるコンプリートイメージのうちユーザ選択領域のビデオパラメータを調整するディスプレイシステムにおいて、
コンプリートイメージを表す複数のイメージラインのうち何れかに含まれるラインパターンを検出するレベル検出器；
前記レベル検出器に連結され、その端部がユーザ選択領域の垂直面の端に対して垂直に整列された位置インディケータを含む前記パターンを受信するパターン受信器；
前記パターン受信器に連結され、前記コンプリートイメージの最上部にあるイメージライン１番目の開始ピクセルの基準点から前記位置インディケータの端部までの第１水平座標値を測定するピクセルカウンタ；
前記第１水平座標値に基づいて前記基準点からビデオ制御領域の垂直面の端までの第２水平座標値を計算するために、前記パターン受信器に連結され、前記ピクセルカウンタにピクセル周波数の情報を入力するモニタマイクロプロセッサ；
前記ビデオ制御領域のビデオパラメータのうち少なくとも一つを調整するビデオ前置増幅器を含むことを特徴とするディスプレイシステム。
【請求項１２】
前記ビデオパラメータは、輝度、コントラスト、強調、シャープネスパラメータのうち何れかであることを特徴とする請求項１１に記載のディスプレイシステム。
【請求項１３】
前記第２水平座標値は前記第１水平座標値と同一であることを特徴とする請求項１１に記載のディスプレイシステム。
【請求項１４】
前記ビデオ前置増幅器は、前記受信したパターンに含まれた所定のビデオパラメータ値に基づいて前記ビデオパラメータのうち少なくとも一つを調整することを特徴とする請求項１１に記載のディスプレイシステム。
【請求項１５】
前記モニタマイクロプロセッサは、前記受信したパターンに含まれたチェックサムをチェックすることで前記パターンを認証することを特徴とする請求項１１に記載のディスプレイシステム。
【請求項１６】
前記モニターマイクロプロセッサは、前記パターンが認証された場合にのみ前記第２水平座標値を計算することを特徴とする請求項１５に記載のディスプレイシステム。
【請求項１７】
前記第１水平座標値は、前記パターンが含まれたイメージラインの２番目の開始点と、前記インディケータの端部との間にそれぞれ位置するピクセルをカウントすることで測定され、前記１番目と２番目の開始点は垂直に整列されることを特徴とする請求項１１に記載のディスプレイシステム。
【請求項１８】
前記パターンは、前記パターンが含まれたラインから前記ユーザ選択領域の水平面の端までの第１垂直座標値を更に含むことを特徴とする請求項１１に記載のディスプレイシステム。
【請求項１９】
前記基準点と、前記パターンが含まれたラインとの間の垂直なオフセット距離を測定するために、前記パターン受信器に連結されるラインカウンタを更に含むことを特徴とする請求項１８に記載のディスプレイシステム。
【請求項２０】
前記モニタマイクロプロセッサは、前記オフセット距離を前記第１垂直座標値にそれぞれ加えることで、前記基準点から前記制御領域の水平面の端までの第２垂直座標値を更に計算することを特徴とする請求項１９に記載のディスプレイシステム。
【発明の詳細な説明】
【０００１】
【発明の属する技術分野】
本発明はディスプレイシステムに関し、特に、モニタ画面上でユーザ選択領域の一つ又はそれ以上のビデオパラメータを調整するディスプレイシステムに関する。
【０００２】
【従来の技術】
一般に、コンピュータ関連のディスプレイシステムは映像及びテキストを含む様々な形態のデータをディスプレイするために陰極線管（Ｃａｔｈｏｄ  Ｒａｙ  Ｔｕｂｅ：ＣＲＴ）モニタを用いる。前記ＣＲＴモニタ上にモーションピクチャ、グラフィック及び写真などのようなビデオデータをディスプレイするためには一般的に非常に高いレベルの輝度が要求される。その理由は生動感のある陰影とカラーへの変化を提供するために多様なカラーが用いられるからである。
また、ＣＲＴモニタ上でビデオデータの輝度範囲を増加するとビデオイメージのコントラストと輝度が多様になるので画質の改善が可能である。
【０００３】
【発明が解決しようとする課題】
しかしながら、前記ビデオデータをディスプレイする場合、ＣＲＴモニタを含む既存のコンピュータ関連のディスプレイシステムはＴＶシステムに比べて十分な輝度を提供していなかった。
例えば、ＴＶシステム用ビデオ信号（例えば、放送用ビデオ信号又はその他ＴＶ画面ディスプレイ用信号）がＣＲＴモニタにディスプレイされる時、ディスプレイされた映像の輝度は一般的に低くすぎて暈けているだけではなく、映像が暗すぎる。
【０００４】
これは既存のコンピュータ関連のディスプレイシステムの輝度パラメータが通常ＴＶシステムの輝度パラメータより遙かに低いからである。
前記問題を解決するためにはＣＲＴ画面上で他の領域の輝度を相対的に低く維持しながらユーザ選択領域の輝度を大きく増加させる方法が非常に望ましい。
従って、全体画面の輝度を増加させることなくユーザが選択した領域の画質を大きく改善できる。
【０００５】
そこで、本発明の目的は、イメージソースデバイスから受信するビデオ信号と水平同期信号との間に発生する遅延を補償することによりユーザ選択領域のビデオパラメータを調整するディスプレイシステムを提供することにある。
【０００６】
本発明の他の目的として、ディスプレイ装置とイメージソースデバイス間の互いに異なるディスプレイ設定による垂直なオフセットを補償できるユーザ選択領域のビデオパラメータを調整するディスプレイシステムを提供する。
【０００７】
【課題を解決するための手段】
上記目的を達成するために、ディスプレイされるコンプリートイメージのうちユーザ選択領域のビデオパラメータを調整するディスプレイシステムにおいて、コンプリートイメージを表す複数のイメージラインのうち何れかに含まれるラインパターンを検出するレベル検出器；レベル検出器に連結され、その端部がユーザ選択領域の垂直面の端に対して垂直に整列されている位置インディケータを含むパターンを受信するパターン受信器；パターン受信器に連結され、コンプリートイメージの最上部にあるイメージラインの１番目の開始ピクセルの基準点から位置インディケータの端部までの第１水平座標値を測定するピクセルカウンタ；第１水平座標値に基づいた基準点からビデオ制御領域の垂直面の端までの第２水平座標値を計算するパターン分析器；ビデオ制御領域のビデオパラメータのうち少なくとも一つを調整するビデオ前置増幅器を含むことを特徴とする。
【０００８】
また、本発明は、基準点と、パターンが含まれたラインとの間の垂直なオフセット距離を測定するために、パターン受信器に連結されるラインカウンタを更に含み、パターン分析器は、オフセット距離を前記第１垂直座標値にそれぞれ加えることで、基準点から前記制御領域の水平面の端までの第２垂直座標値を更に計算する。
【０００９】
本発明によるディスプレイシステムは、コンプリートイメージを表す複数のイメージラインのうち何れかに含まれるラインパターンを検出するレベル検出器；レベル検出器に連結され、その端部がユーザ選択領域の垂直面の端に対して垂直に整列された位置インディケータを含むパターンを受信するパターン受信器；パターン受信器に連結され、コンプリートイメージの最上部のイメージラインの一番目の開始ピクセルの基準点から位置インディケータの端部までの第１水平座標値を測定するピクセルカウンタ；第１水平座標値に基づいて前記基準点からビデオ制御領域の垂直面の端までの第２水平座標値を計算するために、パターン受信器に連結され、ピクセルカウンタにピクセル周波数の情報を入力するモニタマイクロプロセッサ；ビデオ制御領域のビデオパラメータのうち少なくとも一つを調整するビデオ前置増幅器を含むことを特徴とする。
【００１０】
また、本発明は、基準点と、パターンが含まれたラインとの間の垂直なオフセット距離を測定するために、パターン受信器に連結されるラインカウンタを更に含み、モニタマイクロプロセッサは、オフセット距離を前記第１垂直座標値にそれぞれ加えることで、基準点から前記制御領域の水平面の端までの第２垂直座標値を更に計算する。
【００１１】
【発明の実施の形態】
以下、添付の図面に基づいて本発明の好ましい実施形態を詳細に説明する。
【００１２】
図１は本発明によるイメージディスプレイシステムを示す図面である。
図１に示すように、本発明のディスプレイシステムは、ビデオ信号（ＲＧＢ信号）と、水平及び垂直同期信号（Ｈ−ＳＹＮＣ，Ｖ−ＳＹＮＣ）とを発生させるイメージソースデバイス１０（例えば、コンピュータ装置）と、イメージソースデバイス１０からＲＧＢ信号及びＳＹＮＣ信号を受信し、その受信したＲＧＢ及びＳＹＮＣ信号に応答してイメージをディスプレイするＣＲＴモニタ２０とで全体が構成されている。
【００１３】
イメージソースデバイス１０は、アクティブイメージを表す情報を受信し、ラインパターンをアクティブイメージの最上部のイメージラインに付加するアプリケーション１２（例えば、設置されたプログラム又はドライバ）と、ラインパターンが付加されたアクティブイメージを表すビデオ情報を受信し、且つビデオ信号、及び該Ｈ−ＳＹＮＣ及びＶ−ＳＹＮＣを生成するビデオカード１１とを含む。ここで、ラインパターンは、アクティブイメージ上で基準点（Ｐｏ′）からユーザ選択領域までの座標値の情報を含む。
【００１４】
反面、ＣＲＴモニタ２０は、パネルキー２４と、モニタＣＰＵ２２（例えば、マイクロプロセッサ）と、ビデオ制御部２１と、メインビデオ増幅器２３と、ＣＲＴ２５とで構成される。
【００１５】
ビデオ制御部２１は、ビデオカード１１からＲＧＢ信号及びＳＹＮＣ信号を最初に受信し、ＣＲＴ２５上に実際にディスプレイされるコンプリートイメージの基準点（Ｐｏ″）からビデオ制御領域までの座標値を決定する時、ユーザ選択領域の輝度、コントラスト、シャープネス及び強調を含むビデオパラメータを調整する。また、ビデオ制御部２１は、基準点（Ｐｏ″）からユーザ選択領域の垂直面の端までの水平座標値（ピクセル数）を適切に測定するようにモニタＣＰＵ２２からピクセル周波数の情報を受信する。最後に、パネルキー２４は、ＣＲＴモニタ２０のディスプレイ設定を制御するためにユーザから命令を受信し、メインビデオ増幅器２３は、ビデオ制御部２１から処理されたＲＧＢ信号を増幅する。その後、ＣＲＴ２５は増幅された信号をディスプレイする。
【００１６】
図２及び図３は、図１に示すＣＲＴモニタ２０のビデオ制御部２１を示す第１実施形態及び第２実施形態である。
図２のビデオ制御部２１は、図５に示すＣＲＴ２０にディスプレイされるコンプリートイメージを表す複数のイメージラインのうち何れかに含まれたラインパターンを検出するレベル検出器２０１と、検出されたラインパターンを受信するためにレベル検出器２０１に連結されるパターン受信器２０４とを含む。
受信されたラインパターンは、位置インディケータと、パターンが含まれたラインからユーザ選択領域の水平面の端までの垂直座標値の情報を含む。ここで、位置インディケータの両エッジは、ユーザ選択領域の垂直面端に対して垂直に整列されている。
【００１７】
また、ビデオ制御部２１は、コンプリートイメージの最上部のラインの一番目の開始ピクセルの基準点から位置インディケータのエッジまでの水平座標値を測定するためにパターン受信器２０４に連結されるピクセルカウンタ２０２と、基準点と、パターンが含まれたラインとの間の垂直のオフセット距離を測定するためにパターン受信器２０４に連結されるラインカウンタ２０３とを更に含む。
【００１８】
次に、パターン分析器２０５は、位置インディケータの水平位置（基準点から位置インディケータのエッジまでの水平座標値）に基づいて基準点からビデオ制御領域の垂直面の端までの水平座標値を計算し、オフセット距離と前記パターンに含まれた水平面の端までの垂直座標値を加えて、基準点から制御領域の水平面の端までの垂直座標値を計算する。
【００１９】
最後に、ビデオ制御部２１は、ラインパターンに含まれたビデオパラメータ値の所定のセットに基づいて制御領域に対するビデオ制御利得を設定する利得制御器２０６と、該ＲＧＢ信号を増幅させるビデオ前置増幅器２０７とを含む。
【００２０】
図３に示すビデオ制御部２１は、パターン分析器２０５が省略されている点を除いては図２に示すビデオ制御部２１と同一である。従って、モニタＣＰＵ２２は、同様の方法で基準点から制御領域までの座標値を計算し、利得制御部２０６は、制御領域からビデオ制御利得を設定する。このような方法で、前記ビデオ制御部２１の構成は非常に単純化される。
【００２１】
図４はＰＣのアプリケーションから生成される映像情報によりディスプレイされるアクティブイメージの一例を示す図面である。イメージソースデバイス１０のアプリケーション部１２は、ユーザが所定の領域（図４に示す長方形のボックス）を選択し、且つ選択された領域の一つ又はそれ以上のビデオパラメータを調整できるようにする。所定の領域は、例えば、イメージソースデバイス１０に連結されたマウス（図示せず）により制御されたマウスポインタで所定の領域の左側の上端のコーナをクリックし、所定の領域の右側の下端のコーナまでポインタをドラグすることにより選択され得る。また、所定の領域は、モニタの画面に現在に表示されている少なくとも一つのウィンドーをクリックするか、キーボード（図示せず）上に提供された一つ又はそれ以上のキーボタンを押すことでも簡単に選択され得る。
【００２２】
ユーザが所定の領域を選択する時、アプリケーション部１２は、選択された領域の座標値の情報を測定して保存する。前記情報は、アクティブイメージの基準点（例えば、図４に示すＰｏ）からユーザ選択領域の水平面の端までの垂直座標値を表すＶ＿ＳＴＡＲＴ及びＶ＿ＥＮＤを含む。また、アプリケーション部１２は、基準点（Ｐｏ）から選択領域の垂直面の端までの水平座標値を表すＨ＿ＳＴＡＲＴ及びＨ＿ＥＮＤを更に含めるが、これらの値は本発明によるユーザ選択領域のビデオパラメータを調整するのに必ずしも要求されるものではない。アプリケーション部１２により保存される垂直座標値がライン単位であるに対し、水平座標値はピクセル単位である。これはアクティブイメージ上の任意点の垂直及び水平座標値がそれぞれライン及びピクセル単位の座標系を用いるからである。
【００２３】
アプリケーション部１２が必要な座標情報を得た後、アプリケーション部１２はアクティブイメージの最上部のラインに一つのラインパターンを付加する。
ラインパターンは、ユーザ選択領域の座標情報（Ｖ＿ＳＴＡＲＴ，Ｖ＿ＥＮＤ）、制御コード及びパターン認証コード（例えば、チェックサム）を含むパターンデータを含む。ラインパターンは、基準点（Ｐｏ）からユーザ選択領域までの水平座標値を更に含める。制御コードは、輝度、コントラスト、シャープネス及び強調などに対するビデオ制御パラメータを含むコードである。
【００２４】
アプリケーション部１２は、ビデオ制御部２１、又はモニタＣＰＵ２２によって伝送されたパターンデータがデータ伝送時に変更されなかったことを確認し、ビデオ信号の任意の非パターン部分をパターンデータとして認識することを防止するために、チェックサムのようなデータ認証コードを含むことで、パターンデータの適切な伝送を保障する。
【００２５】
一般に、チェックサムは、アプリケーション部１２及びモニタＣＰＵ２２（又はビデオ制御部２１）が決定可能な、伝送されたパターンデータ内の全てのテキストの代表値の和を表す数である。モニタＣＰＵ２２は、パターンデータ内に含まれたチェックサムと、新たに決定されたチェックサムとを比較することで、ラインパターンに含まれたパターンデータを認証することができる。
【００２６】
図１を再び参照すると、イメージソースデバイス１０のビデオカード１１は、アプリケーション部１２からパターンの付加されたアクティブイメージを定義するイメージ情報を受信した後、ＣＲＴモニタ２０の動作を制御し、イメージをディスプレイするためにＲＧＢ信号と、水平及び垂直同期信号（Ｈ＿ＳＹＮＣ，Ｖ＿ＳＹＮＣ）とを発生させる。次に、ＣＲＴモニタ２０のビデオ制御部はＲＧＢ及びＳＹＮＣ信号を受信し、制御コードの所定のセットのパラメータ値に基づいてユーザ選択領域に対する輝度、コントラスト、シャープネス及び強調パラメータのうち少なくとも一つを調整する。その後、前記既増幅されたＲＧＢ信号は、ＲＧＢ信号を増幅させるメインビデオ増幅器２３に伝送され、ＣＲＴ２５は増幅されたＲＧＢ信号をディスプレイする。
【００２７】
図５はビデオカード１１から受信されたＲＧＢ信号及びＳＹＮＣ信号に基づいてディスプレイされるコンプリートイメージの一例を示す図面である。
図５を参照すると、ＣＲＴ２５に実際にディスプレイされるコンプリートイメージは、図４及び図５に示すアクティブイメージと正確に一致してはいないが、ＣＲＴモニタ２０とアプリケーション部１２間の相異したディスプレイ設定、又は座標系によってアクティブイメージより多少大きなイメージである。
【００２８】
例えば、図５に示すコンプリートイメージ上に一点の位置を表すために使用された座標系は、図４に示すアクティブイメージとは異なることがある。
即ち、コンプリートイメージ上の任意点の位置は、アクティブイメージ上の基準点（Ｐｏ′）ではないコンプリートイメージ上の基準点（例えば、Ｐｏ″）に対して測定される。また、ＣＲＴモニタ２０がビデオカード１１から受信するＲＧＢ信号とＳＹＮＣ信号との間に度々遅延が発生する。このような遅延のためコンプリートイメージとアクティブイメージとの間の座標の不一致がより発生しやすい。
【００２９】
図６はＶ−ＳＹＮＣ、Ｈ−ＳＹＮＣ、そして、ビデオ制御部２１がビデオカード１１から受信する一つのラインパターンに対する信号を示す。上述したように、アクティブイメージの最上部のラインに対応するビデオ信号は一つのパターン信号を含む。パターン信号はＰＣＬＯＣＫ、ＰＤＡＴＡ、及びＰＷＩＮＤＯＷ信号を含み、これらは各々ＲＧＢ信号に含まれ得る。
以下、図５及び図６についてより詳細に説明する。
【００３０】
以下、図１乃至図３に示す本発明によるイメージディスプレイ装置の動作を詳細に説明する。
【００３１】
まず、ビデオ前置増幅器２０７及びレベル検出器２０１は、イメージソースデバイス１０のビデオカード１１からＲＧＢ信号と、Ｈ−ＳＹＮＣ及びＶ−ＳＹＮＣ信号の受信を始める。
図６を再び参照すると、ラインカウンタ２０３は、初期に時間Ｔ１で第１Ｖ−ＳＹＮＣパルス及び第１Ｈ−ＳＹＮＣパルスを検出する。検出されたシンクパルスは、図５に示すコンプリートイメージの最上部のビデオラインの開始点（Ｐｏ″）を表す。Ｔ１とＴ２との間で、ビデオ制御部２１のラインカウンタ２０３は時間Ｔ２までＨ−ＳＹＮＣパルスを更に検出することでコンプリートイメージのビデオラインの数をカウントし続ける。
【００３２】
時間Ｔ２で、ラインカウンタはラインパターンを含むコンプリートイメージのビデオラインの開始点に該当するＨ−ＳＹＮＣパルスを検出する。その後、ビデオ制御部２１のパターン受信器２０４は、時間Ｔ３でＰＣＬＯＣＫ信号の第１上昇エッジを検出する。この際、パターン受信器２０４は、時間Ｔ１とＴ２との間でラインカウンタ２０３により検出されるビデオラインの数を表すＶ＿ＯＦＦＳＥＴを決定する。即ち、Ｖ＿ＯＦＦＳＥＴは、図５に示すように、コンプリートイメージの最上部のラインと、パターンが含まれたイメージラインとの間の垂直座標値を表す。
【００３３】
また、パターン受信器２０４は、レベル検出器２０１から受信されるＰＤＡＴＡ信号からパターンデータを抽出する。ＰＤＡＴＡ信号は、図６に示すように、パターンデータに基づき″０″又は″１″を有する信号である。このように、抽出されたパターンデータは、Ｖ＿ＳＴＡＲＴ，Ｅ＿ＥＮＤ，制御コード、及びチェックサムを含む。Ｖ＿ＳＴＡＲＴ及びＶ＿ＥＮＤは、アクティブイメージの基準点（例えば、図４に示すＰｏ′）からユーザ選択領域の水平面の端までの垂直座標値を示す。制御コードは、ユーザ選択領域をハイライティングする輝度、コントラスト、シャープネス、及び強調のようなその他の類型のビデオパラメータを含むコードである。チェックサムは、パターン受信器２０４、又はモニタＣＰＵ２２が受信されたパターンデータを認証するためのパターン認証コードである。
【００３４】
また、パターン受信器２０４がレベル検出器２０１から受信するパターン信号は、図５に示すように、Ｐｏ″からユーザ選択領域までの水平座標値を示すＰＷＩＮＤＯＷ信号を含む。図６を参照すると、パターン受信器２０４は、時間Ｔ４でＰＷＩＮＤＯＷ信号の上昇エッジを検出する。次に、パターン受信器２０４は、時間Ｔ２とＴ４との間に存在するピクセルの数をカウントするピクセルカウンタを用いて、Ｐｏ″に対して図５に示すユーザ選択領域の左側面までの水平座標値を表すＲＣＶ＿Ｈ＿ＳＴＡＲＴを決定する。ピクセルカウンタ２０２は、各々のピクセルをカウントするためにモニタＣＰＵ２２により提供されるピクセル周波数の情報を用いる。その後、パターン受信器２０４はＰｏ″から図５に示すユーザ選択領域の右側面までの水平座標値を表すＲＣＶ＿Ｈ＿ＥＮＤを決定するためにピクセルカウンタ２０２を用いる。再び、ピクセルカウンタ２０２は時間Ｔ２とＴ５との間に存在するピクセルの数をカウントする。
【００３５】
全てのＶ＿ＯＦＦＳＥＴ，ＲＥＣ＿Ｈ＿ＳＴＡＲＴ，及びＲＥＣ＿Ｈ＿ＥＮＤが決定され、パターンデータが完全に受信されると、パターン受信器２０４は決定された位置値をパターン分析器２０５、又はモニタＣＰＵ２２に伝送する。
その後、パターン分析器２０５、又はモニタＣＰＵ２２は、パターンデータに含まれたチェックサムと、新たに決定されたチェックサムとを比較することで、パターンデータが有効であるかの可否を確認する。パターンデータが有効ではないものと確認されると、パターン分析器２０５、又はモニタＣＰＵ２２は決定された位置値を無視する。パターンデータが有効であるものと判断されると、パターン分析器２０５、又はモニタＣＰＵ２２は次の数式を用いて、図７に示すように、Ｐｏ″からビデオ制御領域（つまり、ターゲット領域）までの座標値を計算する。
ＷＩＮ＿Ｖ＿ＳＴＡＲＴ＝Ｖ＿ＯＦＦＳＥＴ＋Ｖ＿ＳＴＡＲＴ，
ＷＩＮ＿Ｖ＿ＥＮＤ＝Ｖ＿ＯＦＦＳＥＴ＋Ｖ＿ＥＮＤ，
ＷＩＮ＿Ｈ＿ＳＴＡＲＴ＝ＲＣＶ＿Ｈ＿ＳＴＡＲＴ，
ＷＩＮ＿Ｈ＿ＥＮＤ＝ＲＥＶ＿Ｈ＿ＥＮＤ，
Ｖ＿ＢＬＡＮＫＰＯＳ＝Ｖ＿ＯＦＦＳＥＴ。
【００３６】
図７は上記数式により計算される座標値に基づいてビデオ制御領域を示す図面である。図７に示すように、ＷＩＮ＿Ｖ＿ＳＴＡＲＴ及びＷＩＮ＿Ｖ＿ＥＮＤはＰｏ″から制御領域の上下面までの垂直座標値を表し、ＷＩＮ＿Ｈ＿ＳＴＡＲＴ及びＷＩＮ＿Ｈ＿ＥＮＤは同一の基準点から制御領域の垂直面の端までの水平座標値を表す。また、Ｖ＿ＢＬＡＮＫＰＯＳは選択的に消去可能なコンプリートイメージのビデオラインの垂直座標値を表す。そして、図７に示すアクティブイメージの最上部のビデオラインを含むコンプリートイメージのビデオラインを消去することで、ユーザはモニタの画面上でラインパターンを観察することはない。
【００３７】
ビデオ制御領域が制御領域の全ての必要な位置値を決定することで完全に識別される時、利得制御部２０６は、制御コードに含まれた所定のセットのビデオパラメータ値に基づいて識別された制御領域に対する利得を設定する。最後に、ビデオ前置増幅器２０７は該当ＲＧＢ信号を増幅させる。
【００３８】
一方、ＷＩＮ＿Ｈ＿ＳＴＡＲＴ及びＷＩＮ＿Ｈ＿ＥＮＤは次の数式を用いて決定されることもできる。
ＷＩＮ＿Ｈ＿ＳＴＡＲＴ＝ＲＣＶ＿Ｈ＿ＳＴＡＲＴ＋ＨＤＥＬＡＹ１，及び
ＷＩＮ＿Ｈ＿ＥＮＤ＝ＲＣＶ＿Ｈ＿ＥＮＤ＋ＨＤＥＬＡＹ２
ここで、ＨＤＥＬＡＹ１及びＨＤＥＬＡＹ２は、識別されたユーザ選択領域の利得を増幅させる時、利得制御部２０６の入力と出力との間で発生する遅延を補償するための追加的な補正値を表す。
【００３９】
【発明の効果】
以上説明したように、本発明によるディスプレイシステムによれば、ユーザが選択した領域のビデオパラメータを調整することで、イメージソースデバイスから受信されるビデオ信号と水平同期信号との間に発生する遅延を補償できる。これにより、モニタ全体の画面の輝度を増加しなくても、ユーザが選択した領域の画質を大きく改善させることができる。
【図面の簡単な説明】
【図１】本発明によるイメージディスプレイシステムの構成を示す図面である。
【図２】第１実施形態による図１のビデオ制御部の構成を示す図面である。
【図３】第２実施形態による図１のビデオ制御部の構成を示す図面である。
【図４】ＰＣのアプリケーションから生成される映像情報によりディスプレイされるアクティブイメージの一例を示す図面である。
【図５】映像信号及び同期信号に基づいてディスプレイされるコンプリートイメージの一例を示す図面である。
【図６】ラインパターン信号及び同期信号を示す図面である。
【図７】ビデオ制御領域の位置を示す図面である。
【符号の説明】
１０…イメージソースデバイス
１１…ビデオカード
１２…アプリケーション
２０…ＣＲＴモニタ
２１…ビデオ制御部
２２…モニタＣＰＵ
２３…メインビデオ増幅器
２４…パネルキー
２５…ＣＲＴ
２０１…レベル検出器
２０２…ピクセルカウンタ
２０３…ラインカウンタ
２０４…パターン受信器
２０５…パターン分析器
２０６…利得制御器
２０７…ビデオ前置増幅器
【図１】
2004240373.tif 000003
【図２】
2004240373.tif 000004
【図３】
2004240373.tif 000005
【図４】
2004240373.tif 000006
【図５】
2004240373.tif 000007
【図６】
2004240373.tif 000008
【図７】
2004240373.tif 000009